(57)【要約】【課題】装置の小形化、特に薄形化ならびに安価化を図ることが可能とした表示装置を提供することを目的とする。【解決手段】平面状の基板の表面に、微小な回折格子からなる回折格子要素のドットを画素とし、該ドットをマトリクス状に複数個配置し、このドットの集まりによって表現されるパターン（マルチドットパターン）を有する回折格子アレイと、前記回折格子アレイを照明するための照明光を発生する複数個の照明光源を備え、前記回折格子アレイにおける回折格子要素の格子角度が、表示をする際点灯する照明光源からの入射角度に対応した角度を用いるようにしたにより解決した。【選択図】図１
2004085991.tif 000002
【特許請求の範囲】
【請求項１】
平面状の基板の表面に、微小な回折格子からなる回折格子要素のドットを画素とし、該ドットをマトリクス状に複数個配置し、このドットの集まりによって表現されるパターン（マルチドットパターン）を有する回折格子アレイと、前記回折格子アレイを照明するための照明光を発生する複数個の照明光源を備え、前記回折格子アレイにおける回折格子要素の格子角度が、表示をする際点灯する照明光源からの入射角度に対応した角度を用いるようにしたことを特徴とする表示装置。
【請求項２】
平面状の基板の表面に、微小な回折格子からなる回折格子要素のドットを画素とし、該ドットをマトリクス状に複数個配置し、このドットの集まりによって表現されるパターン（マルチドットパターン）を有する回折格子アレイと、前記回折格子アレイを照明するための照明光を発生する複数個の照明光源を備え、前記回折格子アレイにおける回折格子要素の回折効率が、表示をする際点灯する照明光源からの距離に対応した回折効率を用いるようにしたことを特徴とする表示装置。
【請求項３】
照明光源としては、発光ダイオード、半導体レーザー、レーザー、光ファイバーに導かれた光、タングステンランプ、クリプトンランプ、あるいはエレクトロルミネッセンスのいずれかを用いるようにしたことを特徴とする請求項１または請求項２に記載の表示装置。
【請求項４】
回折格子アレイを照明する方法として、表示装置を構成する樹脂の内部を伝播する光、あるいは導波路に導かれた光により照明することを特徴とする請求項１または請求項２に記載の表示装置。
【請求項５】
隣接する照明光源同士と、回折格子アレイのなす角度が、回折格子要素のクロストークが発生しない角度以上としたことを特徴とする請求項１または請求項２に記載の表示装置。
【請求項６】
前記回折格子アレイが、表面に、蒸着、スパッタリングなどにより、光反射層を形成するようにしたことを特徴とする請求項１または請求項２に記載の表示装置。
【請求項７】
回折格子アレイが、ブレーズド型格子アレイとしたことを特徴とする、請求項１ないし６のいずれかに記載の表示装置。
【発明の詳細な説明】
【０００１】
【発明の属する技術分野】
本発明は、平面状の基板の表面に、微小なブレーズド型回折格子からなる回折格子要素のドットを画素とし、この画素を複数個マトリックス状に配置し、このドットの集まりによって表現されるパターン（マルチドットパターン）を有するブレーズド型回折格子アレイを用いた表示装置に係り、特に、装置の薄形化、ならびに安価化を図った表示装置に関するものである。
【０００２】
【従来の技術】
従来から、平面状の基板の表面に、微小な回折格子からなる回折格子要素のドットを画素とし、この画素を複数個配置することにより、回折格子パターンが形成されたディスプレイが多く使用されてきている。
この種の回折格子パターンを有するディスプレイを作製する方法としては、例えば、特開昭６０−１５６００４号公報に開示されているような方法がある。
この方法は、２光束干渉による微小な干渉縞（以下、回折格子とする）を、そのピッチ、方向、および光強度を変化させて、感光性フィルムに次々と露光したものである。
【０００３】
さらに、例えば電子ビーム露光装置を用い、かつコンピュータ制御により、平面状の基板が、載置されたＸ−Ｙステージを移動させて、この基板の表面に回折格子からなる複数の微小な回折格子要素のドットを配置することにより、ある絵柄の回折格子パターンが形成されたディスプレイを作製する方法も提案されている。（米国特許第５０５８９９２号参照）
【０００４】
一方、特開平１１−３２６６１８号公報、特開２０００−２６６９１４号公報等には、平面状の基板の表面に、微小なブレーズド型回折格子からなる回折格子要素のドットを画素とし、マトリクス状に複数個配置し、このドットの集まりによって構成されたパターン（マルチドットパターン）により、入射光を回折、拡散させ光学機能を持たせたブレーズド型回折格子アレイを用いた光学シートも提案されてきている。
【０００５】
ところで、従来、同一の個所に複数の情報を表示するような形態の表示装置としては、ＣＲＴ、もしくは液晶パネル、もしくはマトリクス状に配置した発光光源（蛍光発光体、発光ダイオード、エレクトロルミネッセンス等）による表示装置により、表示する情報を切り替えて表示を行ってきた。
【０００６】
しかしながら、ＣＲＴによる表示装置においては、表示装置が大型となり、制御回路も必要となり、また消費電力も多くなるという問題点があった。
【０００７】
また、液晶パネルにおいては、ＣＲＴと比較すれば薄型にはなるが、暗い場所での使用には、照明が必要であったり、制御回路も必要であり、ディスプレイ装置が高価なものになるという問題点があった。
【０００８】
また、マトリクス状に配置した発光光源を用いた表示装置の場合、すなわち、ディスプレイ全面を照明光で照明するためには、多くの光源が必要であり、消費電力が多くなり、表示装置が高価になるという問題点があった。
【０００９】
ところで、表示装置に表示する情報が多大な場合には、これらの液晶パネルなどのような高価な表示装置を用いても、表示装置の機能が十分発揮でき、問題とはならないが、表示する情報が少ない場合には、表示装置の機能が十分発揮できず、問題となる。
【００１０】
このような、表示する情報が少ない場合には、発光ダイオード等の発光体を表示したい情報量に対応した数量配置し、この発行体の近くに、表示したい文字を印刷し、この発光ダイオード等の発行体を点灯させ、表示するという方法を用いてきた。
【００１１】
しかしながら、このような方法では、表示したい情報量に対応した数量の発光体と、文字を配置しなければならず、面積が多く必要となるという問題点があった。
【００１２】
【発明が解決しようとする課題】
以上のように、ＣＲＴ、液晶パネル、またはマトリックス状に配置した発光光源などの表示装置で、複数の情報を同一個所に表示する表示装置においては、装置自体が大形で高価なものになるという問題があった。
【００１３】
本発明は、上記のような問題点を解消するために成されたもので、装置の小形化、特に薄形化ならびに安価化を図ることが可能とした表示装置を提供することを目的とする。
【００１４】
【課題を解決するための手段】
上記の目的を達成するために、まず、請求項１に係る発明は、平面状の基板の表面に、微小な回折格子からなる回折格子要素のドットを画素とし、前記画素をマトリックス状に複数個配置し、前記ドットの集まりにより表現されるパターン（マルチドットパターン）を有する回折格子アレイと、前記回折格子アレイを照明するための照明光を発生する複数個の照明光源を備えた表示装置で、前記回折格子アレイにおける回折格子要素の格子角度が、前記照明光源からの入射角度に対応した角度としたことを特徴とする表示装置である。
【００１５】
また、請求項２に係る発明は、平面状の基板の表面に、微小な回折格子からなる回折格子要素のドットを画素とし、前記画素をマトリックス状に複数個配置し、前記ドットの集まりによって表現されるパターン（マルチドットパターン）を有する回折格子アレイと、前記回折格子アレイを照明するための照明光を発生する複数個の照明光源を備え、前記回折格子アレイにおける回折格子要素の回折効率を、表示をする際、点灯する照明光源からの距離に対応した回折効率を用いるようにしたことを特徴とする表示装置である。
【００１６】
ここで、、照明光源としては、発光ダイオード、半導体レーザー、レーザー、光ファイバーに導かれた光、タングステンランプ、クリプトンランプ、あるいはエレクトロルミネッセンスのいずれかを用いことが好ましい。
【００１７】
さらに、回折格子アレイを照明する方法として、表示装置を構成する樹脂の内部を伝播する光、あるいは導波路に導かれた光により照明することが好ましい。
【００１８】
また、隣接する照明光源同士と、回折格子アレイのなす角度が、回折格子要素のクロストークが発生しない角度以上とするのが好ましい。
【００１９】
さらに、回折格子アレイの表面に、蒸着・スパッタリングなどにより、光反射層を形成した構成とするのが好ましい。
【００２０】
【作用】
従って、請求項１に係る発明の表示装置においては、ブレーズド型回折格子アレイにおけるブレーズド型回折格子要素の格子角度を、表示をする際、点灯する照明光源からの入射角度に対応した角度にすることにより、複数の照明光源を切り替えて点灯することで、照明光源に対応した格子角度のブレーズド型回折格子要素が回折し、この要素の集合で構成される領域が光ることとなる。
【００２１】
これにより、同一光源で発光する格子角度をもった回折格子要素で、表示したい形状を構成することで、所望の形状表示が可能となり、少ない部品構成で安価で薄形化された表示装置を実現できる。
【００２２】
一方、請求項２に係る発明の表示装置においては、回折格子アレイにおける回折格子要素の回折効率を、表示をする際点灯する照明光源からの距離に対応した回折効率にすることにより、各照明光源からの距離の違いによる回折格子要素の発光する明るさのばらつきを低減することができ、全体に均一な明るさの表示が可能となる。
【００２３】
ここで、回折格子としてブレーズド型回折格子を用いることで、通常の回折格子と比較して非常に明るい表示画像を得ることが可能となる。
このブレーズド回折格子は、鋸刃状の断面形状を持つ回折格子であり、その斜面での入射光の、反射もしくは屈折の角度が、回折角度と一致した場合に、非常に高い回折効率が得られる。
【００２４】
また、照明光源としては、発光ダイオード、半導体レーザー、レーザー、光ファイバーに導かれた光、タングステンランプ、クリプトンランプ、あるいはエレクトロルミネッセンスのいずれかを用いることにより、また、ブレーズド型回折格子アレイを照明する方法として、表示装置を構成する樹脂の内部を伝播する光、あるいは導波路に導かれた光を用い、照明するようにしたことで装置の薄型化が可能となる。
【００２５】
また、隣接する照明光源同士と回折格子アレイのなす角度が、回折格子要素のクロストークが発生しない角度以上とするようにしたことで、所望の表示形状以外の部分での発光を抑えることが可能となる。
さらに、回折格子アレイの表面に、蒸着、スパッタリングなどにより、光反射層を形成するようにしたことで、透過型の表示装置とすることも可能となる。
【００２６】
【発明の実施の態様】
以下、本発明を、図面を参照して詳細に説明する。
図１は、本発明の第１の実施形態の表示装置の構成例を示す説明図である。
【００２７】
すなわち、図１に示すように、表示装置１１は、ブレーズド型回折格子アレイ１２と、このブレーズド型回折格子アレイ１２を照明するための発光ダイオードからなる照明光源１３、１４から構成されている。
【００２８】
ここで、ブレーズド型回折格子アレイ１２は、例えば「ＯＮ」という文字を表示した状態であり、ブレーズド型回折格子アレイ１２における、回折格子要素１５と、回折格子要素１６に着目すると、回折格子要素１５は表示状態であり、回折格子要素１６は、非表示状態である。
【００２９】
図２は、本発明の第１の実施形態における表示装置を上方より見た説明図である。ここでは、図の上方が観察者側となる。
図２において、表示装置１１は、ブレーズド型回折格子アレイ２１と、このブレーズド型回折格子アレイ２１を照明するための発光ダイオードからなる照明光源１３、１４のから構成されており、ブレーズド型回折格子アレイ２１から回折された光が回折光２２となる。
【００３０】
ここで、表示装置１１は、透明性樹脂体２３により構成され、発光ダイオードからなる照明光源１３、１４は、この透明性樹脂体２３の内部に封入してある。
【００３１】
従って、発光ダイオードからなる照明光源１３、１４から発せられた光線は、透明性樹脂体２３の内部を伝播し、ブレーズド型回折格子アレイ２１に到達し、回折して回折光２２となり観察者側に射出される。
【００３２】
図３は、本発明の第１の実施形態による表示装置の、他の構成例を示す説明図である。
図３の表示装置１１は、図１と同様に、ブレーズド型回折格子アレイ１２と、このブレーズド型回折格子アレイ１２を照明するための発光ダイオードからなる照明光源１３、１４から構成される。
【００３３】
ここで、ブレーズド型回折格子アレイ１２は、例えば「ＯＦＦ」という文字を表示した状態であり、ブレーズド型回折格子アレイ１２における、回折格子要素１５と、回折格子要素１６に着目すると、前記回折格子要素１５、回折格子要素１６はともに表示状態である。
【００３４】
次に、図４に本発明の第１の実施形態による表示装置１１における、ブレーズド型回折格子アレイ１２の、回折格子要素１５の拡大した状態の説明図を示す。
図４から明らかなように、回折格子要素１５はさらに細かいエリアに分割されていて、エリア４１とエリア４２の２種類のブレーズド型回折格子で構成されている。
【００３５】
ここで、エリア４１は、照明光源１３により発光する回折格子角度のブレーズド型回折格子であり、また、エリア４２は、照明光源１４により発光するような回折格子角度であり、円弧形状をしたブレーズド型回折格子となっている。
【００３６】
ここで、回折格子を直線形状とした場合には、非常に狭い範囲にしか回折光が射出しないため、正面付近からでないと観察できないが、回折格子を円弧形状とすることで、点光源から入射した光をある程度の範囲に拡散させることが可能となり、広い範囲で観察することが可能となる。
【００３７】
また、エリア４１とエリア４２は、それぞれが市松模様に配置されている。
以上の構成とすることで、照明光源１３が点灯した場合に、回折格子要素１５の面積の半分を占めるエリア４１が発光し、照明光源が点灯した場合に、回折格子要素１５の面積の残り半分を占めるエリア４２が発光する。
従って、回折格子要素１５は、照明光源１３と１４のどちらが点灯しても、発光するような構造である。
【００３８】
次に、図５に、本発明の第１の実施形態による表示装置１１における、ブレーズド型回折格子アレイ１２の回折格子要素１６の拡大した状態の説明図を示す。
回折格子要素１６は、さらに細かいエリアに分割されていて、エリア５１とエリア５２で構成されている。
【００３９】
ここで、エリア５１は、照明光源１３により発光する回折格子角度のブレーズド型回折格子であり、また、エリア５２は、ブレーズド型回折格子の構造を持っていない。
【００４０】
つまり、照明光源１３が点灯した場合に、回折格子要素１６の面積の半分を占めるエリア５１が発光するが、照明光源１４が点灯した場合には、回折格子要素１６の面積の残り半分を占めるエリア５２は発光しない。
従って、回折格子要素１６は、照明光源１３が点灯した場合には発光するが、照明光源１４が点灯しても発光しないような構造である。
【００４１】
つまり、図１におけるブレーズド型回折格子アレイ１２の各回折格子要素は、２種類の回折格子で構成され、この選択により、２個の光源の点灯に合せ、２種類の表示画像を切り替えて表示することができる。
【００４２】
ここで、回折格子としてブレーズド型回折格子を用いることで、通常の回折格子と比較して非常に明るい表示画像を得ることが可能となる。
このブレーズド回折格子は、鋸刃状の断面形状を持つ回折格子であり、その斜面での入射光の、反射もしくは屈折の角度が、回折角度と一致した場合に、非常に高い回折効率が得られる。
【００４３】
つまり、この実施形態のように、光源から回折格子に入射する光線の角度が正確にわかり、また、一定の波長で照明することが可能であるため、ブレーズド型回折格子の斜面の角度、格子間隔を正確に作製することで、非常に明るい表示画像とすることができる。
【００４４】
図６は、本発明の第２の実施形態のる表示装置の構成例を示す説明図である。
図６に示すように、本実施形態の表示装置６１は、ブレーズド型回折格子アレイ６２と、このブレーズド型回折格子アレイ６２を照明するための照明光源６３、６４の照明光源から構成される。
【００４５】
図６において、ブレーズド型回折格子アレイ６２は、全面を表示した状態であり、ブレーズド型回折格子アレイ６２における、回折格子要素６５と、回折格子要素６６に着目すると、回折格子要素６５と回折格子要素６６はどちらも表示状態である。
【００４６】
ここで、回折格子要素６５と照明光源６３との距離をａ、回折格子要素６５と照明光源６４との距離をｂとし、回折格子要素６６と照明光源６３との距離をｃ、回折格子要素６６と照明光源６４との距離をｄとする。
【００４７】
前記構成において、距離ａは距離ｂより小さく、距離ｃは距離ｄよりおおきく、距離ｂは距離ｄとほぼ等しい関係にある。
【００４８】
つまり、距離ａ、ｂ、ｃ、ｄの大きさの関係を示すと以下のようになる。
ａ＜ｂ＝ｄ＜ｃ
【００４９】
ところで、発光ダイオードと回折格子要素までの距離が大きくなれば、透明性樹脂体の内部での散乱や減衰により、回折格子要素に入射する光は弱くなる。
【００５０】
ここで、ブレーズド型回折格子アレイ６２の全面を均一に発光させるには、照明光源から遠い位置に配置された回折格子要素をより明るく発光する必要がある。
【００５１】
つまり、各回折格子要素の回折効率を、照明光源との距離に反比例した数値に補正することで、各回折格子要素からの明るさを均一とすることが可能となる。
【００５２】
次に、図７に本発明の第２の実施形態による表示装置６１における、ブレーズド型回折格子アレイ６２の、回折格子要素６５を拡大した状態の説明図を示す。前記回折格子要素６５は、さらに細かいエリアに分割されていて、エリア７１とエリア７２の２種類のブレーズド型回折格子で構成されている。
【００５３】
ここで、エリア７１は、照明光源６３により発光するような回折格子角度のブレーズド型回折格子であり、回折格子を形成している部分は、エリア７１の大きさより小さい面積となっている。
【００５４】
また、エリア７２は、照明光源６４により発光するような回折格子角度であるブレーズド型回折格子であり、回折格子を形成している部分は、エリア７２の大きさより若干小さく、エリア７２の回折格子を形成している部分より大きな面積となっている。
これらの回折格子を形成している面積の比は、発光ダイオードと回折格子との距離ａとｂの比で決定される。
【００５５】
次に、図８に本発明の第２の実施形態による表示装置６１における、ブレーズド型回折格子アレイ６２の回折格子要素６６の拡大した状態を示す説明図を示す。
前記回折格子要素６６は、さらに細かいエリアに分割されていて、エリア８１とエリア８２の２種類のブレーズド型回折格子で構成されている。
【００５６】
ここで、エリア８１は、照明光源６３により発光するような回折格子角度のブレーズド型回折格子であり、回折格子を形成している部分はエリア８１と同じ大きさとなっている。
【００５７】
また、エリア８２は、照明光源６４により発光するような回折格子角度であるブレーズド型回折格子であり、回折格子を形成している部分は、エリア８２の大きさより若干小さく、図７におけるエリア７２の回折格子を形成している部分と同じ大きさとなっている。
【００５８】
これは、図７における距離ｂと、図８における距離ｄが同じ距離であることにより、エリア７２とエリア８２での回折格子を形成している面積は同じ大きさとなる。
【００５９】
以上説明したように、ブレーズド型回折格子アレイ６２の各回折格子要素の回折効率を、照明光源との距離に反比例した数値に補正するように、各回折格子要素の回折格子を形成している部分の、面積を変化させることで、全面を均一に発光させることを可能としている。
【００６０】
図９は、本発明の第３の実施形態による表示装置の回折格子要素の構成例を示す説明図である。
回折格子要素９１は、エリア９６、エリア９７、エリア９８、エリア９９の４種類の回折格子角度であるブレーズド型回折格子で構造されている。
【００６１】
各エリアは、それぞれ、照明光源９２、９３、９４、９５の点灯に対して発光するような回折格子角度のブレーズド型回折格子である。
【００６２】
従って、回折格子要素９１は、４つの照明光源すべてに発光するような構造である。つまり、４種類のエリアにブレーズド型回折格子を配置するか配置しないかで、４種類の表示画像を４個の光源で切り替えて表示することができる。
【００６３】
ここで、照明光源９２と９３と、エリア９６のなす角度θは、エリア９６のブレーズド型回折格子により回折されるクロストーク像（近接した別光源からの回折光）が発生しないような角度に設定する必要がある。
【００６４】
これにより、エリア９６のブレーズド型回折格子は、本来発光するように設計している照明光源９２での回折以外の、照明光源９３で回折することがなくなり、ノイズ成分が減少し、クリアな表示像となる。
【００６５】
図１０は、本発明の第４の実施形態による表示装置の構成例を上方より見た説明図である。ここでは、図の上方が観察者側となる。
すなわち、図１０に示すように、本実施例の表示装置１０１は、図２における構成に加えて、ブレーズド型回折格子１０２に併設して、蒸着、スパッタリングなどにより、光反射層１０６を形成するようにした。
【００６６】
照明光源１０３、により照明され、回折格子要素１０２から反射、回折された光が回折光１０５となる。
ここで、光反射層１０６を形成するために、蒸着、スパッタリングなどを行う材料として、Ａｌ、Ｃｒ、Ａｕ、Ａｇなどの反射性金属材料を用いた場合には、表示される面の背面には金属反射層が鏡面となって観察される。
【００６７】
一方、光反射層１０６を形成するために、蒸着、スパッタリングなどを行う材料として、ブレーズド型回折格子１０２を構成する材料よりも、その屈折率が大きい材料にて行った場合、ブレーズド型回折格子１０２の再生可能な角度範囲内では、光反射層１０６における光の反射率が、最大となり、「反射型」として機能する。
一方、ブレーズド型回折格子１０２の再生可能な角度範囲外では、単なる透明膜として機能し、表示される面の背面に位置する画像パターン等が透過して観察される。
【００６８】
以上、説明した第１から第４の実施形態において、製品形態の例としては、表示するパターンが３から１０種類程度である、切替えスイッチ等の表示装置として好適である。
【００６９】
例えば、扇風機、温風器などでの、停止、微風、弱風、中風、強風などの表示や、多段階に明るさを調整できる照明装置での、停止、暗、中、明などの段階表示など、家電製品での運転状態の表示などに応用することが可能である。
【００７０】
尚、本発明は上記各実施例に限定されるものではなく、次のようにしても同様に実施できるものである。
図１１は、本発明の第５の実施形態による表示装置の構成例を示す説明図である。
図１１に示す表示装置１１１は、一眼レフカメラのファインダーに設けて、自動焦点の感知領域を表示するような表示装置の一例である。
一眼レフカメラには、画面内でいくつかの領域を選び、自動焦点の調整機構の感知を行うものがある。
この感知領域を撮影者に伝える方法として、ファインダー内に実際の画像と、感知領域の表示を重ねて見せる方法が多く使われている。
【００７１】
表示装置１１１には、表示エリア１１２と、照明光源１１３と、導波路１１４が設けてある。
照明光源１１３から発した光は、導波路１１４によって表示エリア１１２の近傍に照射するように曲げられる。
表示エリア１１２には、ブレーズド型回折格子により、照明光源１１３からの光を観察者側に回折するような、回折格子が記録してある。
前記照明光源１１３が発光することで、表示エリア１１２が表示されることになる。
【００７２】
従来の表示装置では、表示エリア１１２の部分に、小さなプリズムを刻んである。このために、照明する光を前方からある程度の角度をもって照射しないと表示することができず、照明装置が立体的となり複雑になっていた。
【００７３】
しかし、本発明の実施形態では、ブレーズド型回折格子を用いることで、浅い角度で照明した場合でも、明るさの低下が少なく表示することが可能となり、表示装置を薄型化することができる。
【００７４】
【発明の効果】
以上説明したように本発明によれば、平面状の基板の表面に微小なブレーズド型回折格子からなる回折格子要素のドットを画素としてマトリクス状に複数個配置し、このドットの集まりによって表現されるパターン（マルチドットパターン）を有するブレーズド型回折格子アレイと、前記ブレーズド型回折格子アレイを照明するための照明光を発生する複数個の照明光源を備え、前記ブレーズド型回折格子アレイにおけるブレーズド型回折格子要素の格子角度が、表示をする際点灯する照明光源からの入射角度に対応した角度を用いるようにし、前記ブレーズド型回折格子アレイにおけるブレーズド型回折格子要素の回折効率を、表示をする際点灯する照明光源からの距離に対応した回折効率を用いるようにしたことで、全体に均一で明るさのばらつきが無く、少ない部品構成で安価で薄形化されたブレーズド型回折格子を用いた表示装置が提供できる。
【図面の簡単な説明】
【図１】本発明の第１の実施形態による表示装置の構成例を示す説明図。
【図２】図１における表示装置の構成例の上方からの説明図。
【図３】図１における表示装置の構成例を示す正面図。
【図４】図１における表示装置の回折格子要素の構成例を拡大した状態を示す説明図。
【図５】図１における表示装置の回折格子要素の構成例を拡大した状態を示す説明図。
【図６】本発明の第２の実施形態による表示装置の構成例を示す説明図。
【図７】図１における表示装置の回折格子要素の構成例を拡大した状態を示す説明図。
【図８】図１における表示装置の回折格子要素の構成例を拡大した状態を示す説明図。
【図９】本発明の第３の実施形態による表示装置の回折格子要素の構成例を拡大状態を示す説明図。
【図１０】本発明の第４の実施形態による表示装置の構成例を示す説明図。
【図１１】本発明の第５の実施形態による表示装置の構成例を示す説明図。
【符号の説明】
１１、６１…表示装置
１２、２１…回折格子アレイ
１３、１４、６３、６４…照明光源
１５、１６、６６…回折格子要素
２３…透明性樹脂体
４１、４２、５１、５２、７１、７２…エリア
【図１】
2004085991.tif 000003
【図２】
2004085991.tif 000004
【図３】
2004085991.tif 000005
【図４】
2004085991.tif 000006
【図５】
2004085991.tif 000007
【図６】
2004085991.tif 000008
【図７】
2004085991.tif 000009
【図８】
2004085991.tif 000010
【図９】
2004085991.tif 000011
【図１０】
2004085991.tif 000012
【図１１】
2004085991.tif 000013